(57)【要約】【課題】表示部を開いた状態において表示部を見ながらボタン操作を容易に行うことができる電子機器を提供する。【解決手段】装置本体と、第１面と、該第１面とは反対側の第２面とを備え、前記第１面側から視認可能な表示部４ａを備えた可動部材４と、前記可動部材の前記第１面側の、前記表示部が視認される位置とは異なる位置に設けられた操作部材４ｂと、を備え、前記可動部材の前記操作部材が設けられた位置に対応する前記第２面側の位置に、前記操作部材を操作する際の支持スペース１８を形成した。【選択図】図２
2015169853.tif 000002
【特許請求の範囲】
【請求項１】
装置本体と、
第１面と、該第１面とは反対側の第２面とを備え、前記第１面側から視認可能な表示部を備えた可動部材と、
前記可動部材の前記第１面側の、前記表示部が視認される位置とは異なる位置に設けられた操作部材と、
を備え、
前記可動部材の、前記操作部材が設けられた位置に対応する前記第２面側の位置に、前記操作部材を操作する際の支持スペースを形成したことを特徴とする電子機器。
【請求項２】
前記可動部材の前記第２面に、前記支持スペースを避けて、前記可動部材を前記装置  本体の背面に対して回動可能に取り付けるヒンジ部を備え、
前記装置本体の背面に、前記ヒンジ部が収容される穴を形成したことを特徴とする請求  項１記載の電子機器。
【請求項３】
前記装置本体の上面の一方の側に本体側操作部材を備え、
前記可動部材上の前記操作部材は、前記一方の側とは反対側の他方の側であって且つ前記表示部の前記他方の側の端部に沿って設けられていることを特徴とする請求項１または２に記載の電子機器。
【請求項４】
前記可動部材は、前記装置本体の背面に収容された状態から前記可動部材の下端部回りに５０°〜１００°の範囲で回動することを特徴とする請求項１〜３の何れか一項に記載の電子機器。
【請求項５】
前記装置本体内に配置されたメイン基板と、
前記メイン基板に搭載される発熱体と、を備え、
前記メイン基板は、前記装置本体の背面に形成される前記穴に対応する位置に開口部を有し、前記発熱体は、前記メイン基板に前記開口部を挟んで分散配置されることを特徴とする請求項２記載の電子機器。
【発明の詳細な説明】
【技術分野】
【０００１】
本発明は、可動式の表示部を備える電子機器に関するものである。
【背景技術】
【０００２】
従来、チルト式等の可動式の表示部を備えるカメラが存在する（例えば特許文献１参照）。このカメラにおいては、カメラ本体の背面に表示部の下端部が下ヒンジ部によりに回動可能に取り付けられ、更に表示部の上端部が上ヒンジ部によりに回動可能に取り付けられている。そして、下ヒンジ部及び上ヒンジ部のそれぞれを中心として、表示部を回動させて開くことにより、高い位置の被写体や低い位置の被写体を表示部において容易に確認することができる。
【先行技術文献】
【特許文献】
【０００３】
【特許文献１】特開２０１０−２１６２１号公報
【発明の概要】
【発明が解決しようとする課題】
【０００４】
しかし、上述のチルト式の表示部を有するカメラにおいては、表示部を開いた状態で表示部において被写体の確認を行いながらカメラ本体に備えられたボタンの操作を行うことが困難な場合があった。
【０００５】
本発明の目的は、表示部を開いた状態において表示部を見ながらボタン操作を容易に行うことができる電子機器を提供することである。
【課題を解決するための手段】
【０００６】
本発明の電子機器は、装置本体と、第１面と、該第１面とは反対側の第２面とを備え、前記第１面側から視認可能な表示部を備えた可動部材と、前記可動部材の前記第１面側の、前記表示部が視認される位置とは異なる位置に設けられた操作部材と、を備え、前記可動部材の、前記操作部材が設けられた位置に対応する前記第２面側の位置に、前記操作部材を操作する際の支持スペースを形成したことを特徴とする。
【発明の効果】
【０００７】
本発明によれば、表示部を開いた状態において表示部を見ながらボタン操作を容易に行うことができる電子機器を提供することができる。
【図面の簡単な説明】
【０００８】
【図１】実施の形態に係るデジタルカメラを背面側から見た斜視図である。
【図２】実施の形態に係るデジタルカメラのチルト式可動部を下ヒンジ部を中心に回動させた状態を示す図である。
【図３】実施の形態に係るデジタルカメラのチルト式可動部を上ヒンジ部を中心に回動させた状態を示す図である。
【図４】実施の形態に係るデジタルカメラのメイン基板に実装された発熱源を示す図である。
【図５】実施の形態に係るデジタルカメラのチルト式可動部の可動状態を示す図である。
【図６】実施の形態に係るデジタルカメラの操作状態を示す図である。
【発明を実施するための形態】
【０００９】
以下、図面を参照して、本発明の実施の形態に係るデジタルカメラ（電子機器）について説明する。図１に示すように、デジタルカメラ２は、カメラ本体の前面には撮影レンズ（図示せず）を備え、カメラ本体の背面には、後述する液晶表示部４ａを備えたカメラ本体に対して可動する可動部４、マルチセレクタ６等を備えている。本実施形態では可動部４は後述するヒンジによりチルトするチルト式可動部となっている。またカメラ本体の上面の一方の側（カメラ本体の背面から見て右側）には、静止画撮影の指示を行うシャッターボタン８、動画撮影の指示を行う動画撮影ボタン１０、撮影モードの選択を行う撮影モードダイヤル１２等の本体側操作部材が備えられている。
【００１０】
チルト式可動部４の表面側（第１面側）には、液晶表示部４ａと液晶表示部４ａの左側端部（他方側の端部）に沿って設けられている操作部材４ｂとが設けられている。ユーザーは液晶表示部４ａの表示内容を、可動部４の表面側（第１面側）から視認する。図２に示すようにチルト式可動部４は、カメラ本体の背面側の下部に設けられている下ヒンジ部１６により、チルト式可動部４の下部がカメラ本体に対して下ヒンジ１６の軸を中心に回動可能に取り付けられている。またチルト式可動部４は、液晶表示部４ａの裏面側に上ヒンジ部２０を有している。従って上ヒンジ部２０の軸を回動軸としてチルト式可動部４を回動させることにより、液晶表示部４ａが下を向いた状態から、図３に示すように、液晶表示部４ａが上を向いた状態にすることができる。
【００１１】
ここで液晶表示部４ａの裏面（第２面）側（換言すれば可動部４の第２面側）には、上ヒンジ部２０が左右２つ設けられているが、カメラ本体の背面側から見て左側の上ヒンジ部２０は、チルト式可動部４の側端から所定距離だけ内側に位置するよう形成されている。これにより、チルト式可動部４の操作部材４ｂが設けられた位置の裏面側の位置に、ユーザーが操作部材４ｂを指（例えば左手の親指）で操作する際に、操作していない方の指（例えば左手の親指以外の指）でユーザーが可動部４を固定支持（把持）するための支持スペース１８が形成されている。
【００１２】
またカメラ本体の背面に形成されているチルト式可動部４の収納部２１には、チルト式可動部４を収納部２１に収納する際に、上ヒンジ部２０が収容される穴２２が形成されている。
【００１３】
図４は、カメラ本体内に配置されているメイン基板３０をカメラ本体の背面側から見た図である。メイン基板３０には、撮像素子、画像処理回路、安定電源生成回路等の発熱源３２が実装されている。ここでカメラ本体の収納部２１に形成されている穴２２の位置に対応するメイン基板３０上の位置には、開口部３０ａが形成されており、撮像素子、画像処理回路、安定電源生成回路等の発熱源３２は、開口部３０ａを挟んで分散配置されている。この分散配置によりカメラ本体内の温度上昇を抑制している。
【００１４】
図５は、チルト式可動部４の可動状態を示す図である。図５（ａ）に示すチルト式可動部４の収納状態から、下ヒンジ部１６を中心にチルト式可動部４を回動させることにより、図５（ｂ）に示すように液晶表示部４ａが下に向いた状態でチルト式可動部４を開くことができる。この場合にチルト式可動部４の可動範囲Xは、５０°〜１００°、好ましくは６０°〜９０°である。このようにチルト式可動部４の上側が大きく開くことから、図２に示すように、カメラ本体の背面の右側に位置する操作部材や、カメラ本体の上面、特にチルト式可動部４の上部に位置する操作部材を右手の指で操作する際に、右手の親指の側部がチルト式可動部４に当たることがなく、容易に操作することができる。
【００１５】
また、図６に示すように液晶表示部４ａにおいて被写体の確認を行いながら、左手の人差し指、中指等をチルト式可動部４の操作部材４ｂが設けられた位置の裏面側の支持スペース１８に当てた状態で、チルト式可動部４の左側に配置されている操作部材４ｂを左手の親指で容易に操作することができる。従って操作部材４ｂを操作する際にチルト式可動部４が不用意に動くことを防止することができる。
【００１６】
更に、上ヒンジ部２０を中心にチルト式可動部４を回動させることにより、図５（ｃ）に示すように液晶表示部４ａが上を向いた状態とすることができる。この場合に、支持スペース１８をチルト式可動部４を開く際の指掛けとして利用することができる。ここでチルト式可動部４の可動範囲Ｙは約１７０°であり、液晶表示部４ａを略水平にすることができる。
【００１７】
なお、上述の実施の形態において、メイン基板３０の開口部３０ａが形成された位置の下側の位置３３に断熱材を配置するようにしてもよい。これにより開口部３０ａを挟んだ位置に配置されている発熱源３２からの熱の伝達を抑制することができ、カメラ本体内の温度上昇を効果的に防止することができる。
【００１８】
なお上記各実施形態では、デジタルカメラに本発明を適用した場合について説明したが、本発明は、装置本体に対して可動式であり、且つ表示部と操作部とを備えた可動部材を備えた電子機器であればデジタルカメラ以外の電子機器にも適用可能である。そのような電子機器として例えばスマートフォンなどの携帯型端末や、コンピュータゲームの操作部材、コンピュータ用の入力装置などがある。
【００１９】
また上記各実施形態では、可動部材の可動方式としてチルト式を例に説明したが、本発明はチルト式に限らず、他の方式で可動するもの、例えばスライド方式で装置本体に対して可動するもの等であっても良い。
【符号の説明】
【００２０】
２…デジタルカメラ、４…チルト式可動部、４ａ…液晶表示部、４ｂ…操作部材、１６…下ヒンジ部、１８…支持スペース、２０…上ヒンジ部、２１…収納部、２２…穴、３０…メイン基板、３０ａ…開口部
【図１】
2015169853.tif 000003
【図２】
2015169853.tif 000004
【図３】
2015169853.tif 000005
【図４】
2015169853.tif 000006
【図５】
2015169853.tif 000007
【図６】
2015169853.tif 000008